(57)【要約】【課題】  特殊な高電圧且つ大容量のスイッチング素子を使用したインバータを用いることなく、ブレーキ性能や回生電力の架線への回生率の向上を図り、加速走行する際の加速性を高め得るようにすることである。【解決手段】  主インバータ７と副インバータ８とが架線１に並列接続され、主インバータ７の交流側電力線Ｌ１〜Ｌ３と誘導電動機１０の電力線Ｌ７〜Ｌ９が３相変圧器９の２次巻線（Ｕａ，Ｖａ，Ｗａ）の一端と他端とに接続され、副インバータ８の交流側電力線Ｌ１〜Ｌ３が３相変圧器９の１次巻線（Ｕｂ，Ｖｂ，Ｗｂ）の一端に接続され、１次巻線の他端は短絡されている。３相変圧器９の巻線比λは０．４である。電動車２の高速走行状態における制動時には、主インバータ７と副インバータ８とに起因する約１４０％の誘起電圧が誘導電動機１０に発生し、ブレーキ性能が改善される。【選択図】  図１
2008113543.tif 000002
【特許請求の範囲】
【請求項１】
走行駆動用の三相誘導電動機と、走行時に架線の直流を三相交流に変換して誘導電動機に供給可能で且つ制動時に誘導電動機で回生した電力を直流に変換して架線に供給可能な可変電圧・可変周波数型の第１インバータと、第１インバータをＰＷＭ制御するインバータ制御手段とを備えた鉄道車両の電力制御装置において、
前記架線に対して第１インバータと並列接続され且つ前記インバータ制御手段で制御される可変電圧・可変周波数型の第２インバータと、
前記第１インバータの交流側電力線と誘導電動機の間に設けられた２次巻線と、第２インバータの交流側電力線に接続された１次巻線とを備え且つ少なくとも制動時に誘導電動機の回生電圧を昇圧させる為の電圧添加用変圧器とを有し、
前記インバータ制御手段は、回生時に高速側から所定速度に減速するまでは、第１，第２インバータを作動させ、所定速度以下の車速で減速する際には第１インバータのみを作動させ、第１インバータのみ作動するときに第２インバータを制御して電圧添加用変圧器の１次巻線を短絡することにより２次巻線の電圧降下を生じないようにすることを特徴とする鉄道車両の電力制御装置。
【請求項２】
前記インバータ制御手段は、加速走行時に設定速度に加速するまでは、第１インバータのみを作動させ、設定速度以上で加速する際には第１，第２インバータを作動させ、第１インバータのみ作動するときに第２インバータを制御して電圧添加用変圧器の１次巻線を短絡することにより２次巻線の電圧降下が生じないようにすることを特徴とする請求項１に記載の鉄道車両の電力制御装置。
【請求項３】
走行駆動用の三相誘導電動機と、走行時に架線の直流を三相交流に変換して誘導電動機に供給可能で且つ制動時に誘導電動機で回生した電力を直流に変換して架線に供給可能な可変電圧・可変周波数型の第１インバータと、第１インバータをＰＷＭ制御するインバータ制御手段とを備えた鉄道車両の電力制御装置において、
前記架線に対して第１インバータと並列接続され且つ前記インバータ制御手段で制御される可変電圧・可変周波数型の第２インバータと、
前記第１インバータの交流側電力線と誘導電動機の間に設けられた２次巻線と、第２インバータの交流側電力線に接続された１次巻線とを備え且つ少なくとも制動時に誘導電動機の回生電圧を昇圧させる為の電圧添加用変圧器とを有し、
前記インバータ制御手段は、回生時及び加速走行時共、全速度域に亙って第１インバータと第２インバータを作動させることを特徴とする鉄道車両の電力制御装置。
【請求項４】
走行駆動用の三相誘導電動機と、走行時に架線の直流を三相交流に変換して誘導電動機に供給可能で且つ制動時に誘導電動機で回生した電力を直流に変換して架線に供給可能な可変電圧・可変周波数型のインバータと、インバータをＰＷＭ制御するインバータ制御手段とを備えた鉄道車両の電力制御装置において、
前記インバータの交流側電力線と誘導電動機の間に設けられた２次巻線と、前記インバータの交流側電力線のうちの前記２次巻線よりもインバータ側の部分に接続された１次巻線とを備え且つ少なくとも制動時に誘導電動機の回生電圧を昇圧させる為の電圧添加用変圧器を備えたことを特徴とする鉄道車両における電力制御装置。
【発明の詳細な説明】
【技術分野】
【０００１】
本発明は、走行駆動用電動機を用いた回生ブレーキにより誘起された回生電力を、ＰＷＭ制御方式のインバータを介して架線に返還するようにした鉄道車両の電力制御装置に関し、電圧添加用変圧器を介して少なくとも制動時の回生電圧を高めるようにしたものに関する。
【背景技術】
【０００２】
従来、電気機関車や電動車等の鉄道車両のブレーキ方式として、電力回生ブレーキ方式が一般的に知られている。この電力回生ブレーキ方式は、制動時に駆動走行用に使用される電動機を発電機として作用させ、鉄道車両に蓄えられた運動エネルギーにより発電を行うと共に、鉄道車両にブレーキ力を与え、発電により生成された回生電力をインバータにより架線に戻す方式である。
【０００３】
この電力回生ブレーキ方式によれば、ダイナミックブレーキのように、回生された電力を抵抗により発熱エネルギーとして無駄に消費するブレーキ方式に比べ、回生された電力の有効活用が可能になるという大きな利点がある。
【０００４】
そこで、例えば、特許文献１に記載の電気車の回生制御装置は、力行時においては、架線からパンタグラフを介して集電された直流をインバータ（ＶＶＶＦインバータ）により３相交流に変換し、この変換された３相交流を誘導電動機に供給することで、電気車が走行駆動される一方、回生時においては、電気車の走行状態に応じた設定した変調率や回生ブレーキ電流パターンに基づいて、インバータを回生用変換機として作用するように制御し、電気車の運動エネルギーの大部分が誘導発電機として作用する誘導電動機により電気エネルギーに変換されて架線に回生するようにしてある。
【０００５】
一般に、誘導電動機を走行駆動させる為に用いられるＶＶＶＦインバータは、架線電圧に略等しい最高電圧に耐えられるようになっている。そこで前述した特許文献１に記載の電気車の回生制御装置においては、誘導発電機として作用する誘導電動機の発電作用により生成された回生電力がＶＶＶＦインバータにより直流の電気エネルギーに変換され、架線に回生される際に、図９に示すように、約１００ｋｍ／ｈから約７０ｋｍ／ｈまで減速させる高速走行時においては、架線電圧以上にならないように制約され、良好なブレーキ性能を得ることができない。尚、この図９において、電動機のトルク、パワー、電流、電圧は、夫々力行時の最大値を１００％として表してある。
【０００６】
ところで、回生ブレーキを作動させる場合、一般に、誘導電動機で誘起される回生電圧を増大させるにしても、ＶＶＶＦインバータの使用上の上限電圧が制限されるのと、変電所から架線に送電される架線電圧に制約され、架線電圧より大幅に昇圧した高圧の回生電圧を架線に回生することができない。そのため、誘導電動機において誘起され回生に供する電圧は最大でも架線電圧の約１１０％に制限される。
【０００７】
回生時の電気ブレーキ力、ブレーキパワーについては、直流電動機駆動方式の電車のダイナミックブレーキ（抵抗ブレーキ）の場合と比較して、その大小関係が論じられることが多い。直流電動機駆動方式の電車では、力行の高速域においては、電動機の誘起起電力が架線電圧とバランスして加速に必要な電流が流れなくなるので、一般に界磁巻線に並列に電流分路を設け、電動機の誘起起電力を下げ、架線からの電流を増加させて弱いながらも加速力を確保する弱め界磁制御が使用される。
【０００８】
一方、ブレーキにはダイナミックブレーキが使用され、この場合架線との関係が断ち切られるために、弱め界磁制御を行わず、高速においても全界磁のままで使用される。このため電動機の誘起起電力は力行の２倍（場合によっては２倍以上）となり、電流を力行電流と同じとすれば、ブレーキ開始点におけるパワーは略２００％で、高速から低速に至る範囲での強力な電気ブレーキを実現している。
【０００９】
上記と比較して、高速走行状態の回生時において、誘導電動機において弱め界磁を行っているため、回生パワーが約１４０％しかなく、制動トルクは低速時の約１００％に比べて、より小さくなっている。そのため、良好なブレーキ性能を確保することができない。それ故、高速走行時における回生時には、電気車に標準装備しているダイナミックブレーキや機械式ブレーキを併用するようにしている。但し、車速が約７０ｋｍ／ｈまで減速すると、制動トルクが最大の約１００％にまで回復するので、約７０ｋｍ／ｈ以下においては、比較的大きな制動力が得られる。
【００１０】
他方、電気車の力行に際して、図１０（電動機のトルク、パワー、電流、電圧は、夫々力行時の最大値を１００％として表してある）に示すように、走行開始後、電動機トルク一定、Ｖ／Ｆ＝一定（但し、Ｖは電圧、Ｆは周波数）による加速走行が行われ、パルスモードが順次高速側に切換えられて３パルスモードとなる。更に、高速走行時には１パルスモードに切換えられて駆動電圧が最大（約１００％）になる。以降においては、電圧一定、パワー一定で、周波数のみを変更しながら弱め界磁を行う走行制御が行われる。
【００１１】
図１１に、現用されている鉄道車両の回生ブレーキ特性の別の例を示す。この図に示すように、電動機の軽量化の為には、Ｖ／Ｆ＝一定の制御領域から、電圧一定周波数制御への移行点をできるだけ低くとり、電圧一定領域では、電動機電流を制御して可能な限り一定トルク領域を拡げ、電動機の停動トルク限界一杯までもっていき、それより高速領域は電動機の特性領域を停動トルクすれすれにトルクを制御するような使い方が採用されている。
【特許文献１】特開平８−２５１７０６号公報（第２〜４頁、図３）
【発明の開示】
【発明が解決しようとする課題】
【００１２】
上記のように、車速が約１００ｋｍ／ｈから約７０ｋｍ／ｈの高速走行時には、ブレーキ性能が悪い為、ダイナミックブレーキや機械式ブレーキを併用せざるを得ない状態である。そこで、このようなダイナミックブレーキや機械式ブレーキを使用することなく、高速走行時における制動トルクを大きくしてブレーキ性能を高める場合、誘導電動機で誘起される回生電圧又は回生電流を増大させる方法がある。
【００１３】
しかし、誘導電動機で誘起される回生電圧を増大させる場合、ＶＶＶＦインバータの使用上の上限電圧がほぼ架線電圧に制限されるのと、変電所から架線に送電される架線電圧に制約されることから、架線電圧より大幅に昇圧した高圧の回生電圧を架線に回生することができない。一方、誘導電動機で誘起される回生電流を増大させる場合、ＶＶＶＦインバータと誘導電動機の電気容量に制約されるため、不可能である。
【００１４】
何れにしても、電気車の高速走行時における回生ブレーキのブレーキ性能を改善することができず、エネルギー損失を覚悟で機械式ブレーキを使用せざるを得なかった。このように、ダイナミックブレーキや機械式ブレーキを併用する場合、誘導電動機により誘起された回生電力を熱として大気に放出するため、回生電力の回収率が低下すること、機械式ブレーキのメンテナンスに余分な費用や作業が必要となること、等の問題がある。
【００１５】
他方、電気車の力行において、図１０に示すように、車速が約５０ｋｍ／ｈに達すると、電圧一定、パワー一定であるので、電動機トルクは速度の増加と共に減少する。そこで、車速が約５０ｋｍ／ｈ以上の高速状態では、電流一定、電圧一定、パワー一定であるので、更に加速されると、Ｖ／Ｆ比が低下するため、誘導電動機の停動トルク値が速度の増加に応じて次第に低下し、ＶＶＶＦインバータは、電動機トルクが停動トルクを越えないように小さくなるように制御されるようになり、加速性に劣るという問題がある。
【００１６】
本発明の目的は、特殊な高電圧大容量のスイッチング素子を用いたインバータに依存することなく、既存のインバータを有効活用しつつ、ブレーキ性能を高めること、回生電力の架線への回生率を向上させること、加速走行する際の加速性を高めること等である。
【課題を解決するための手段】
【００１７】
請求項１の鉄道車両の電力制御装置は、走行駆動用の三相誘導電動機と、走行時に架線の直流を三相交流に変換して誘導電動機に供給可能で且つ制動時に誘導電動機で回生した電力を直流に変換して架線に供給可能な可変電圧・可変周波数型の第１インバータと、第１インバータをＰＷＭ制御するインバータ制御手段とを備えた鉄道車両の電力制御装置において、前記架線に対して第１インバータと並列接続され且つ前記インバータ制御手段で制御される可変電圧・可変周波数型の第２インバータと、前記第１インバータの交流側電力線と誘導電動機の間に設けられた２次巻線と、第２インバータの交流側電力線に接続された１次巻線とを備え且つ少なくとも制動時に誘導電動機の回生電圧を昇圧させる為の電圧添加用変圧器とを有し、前記インバータ制御手段は、回生時に高速側から所定速度に減速するまでは、第１，第２インバータを作動させ、所定速度以下の車速で減速する際には第１インバータのみを作動させ、第１インバータのみ作動するときに第２インバータを制御して電圧添加用変圧器の１次巻線を短絡することにより２次巻線の電圧降下を生じないようにすることを特徴としている。
【００１８】
第１インバータのみを作動させる場合には、電圧添加用変圧器の２次巻線の電圧降下が生じないように、第２インバータは電圧添加用変圧器の１次巻線を必ず短絡する必要がある。この短絡に当たっては、第２インバータに有する複数のスイッチング素子のうち、限られた素子に電流が集中しないように、各スイッチング素子の負担が等しくなるように制御する。そこで、以後の説明において、第１インバータのみを作動させる場合には、第２インバータは電圧添加用変圧器の１次巻線を短絡するという短絡条件が満たされているものとする。
【００１９】
鉄道車両が高速側から所定速度に減速される際には、インバータ制御手段は第１インバータをＰＷＭ制御するだけでなく、第２インバータも同時にＰＷＭ制御する。これにより、これら２つの第１，第２インバータは、電圧添加用変圧器（３相変圧器）を介して誘導電動機に対して回生電力を架線に回生する回生回路（負荷回路）であるので、回生電圧は、第１インバータのみによって回収する場合よりも、第２インバータと電圧添加用変圧器の１次巻線を介して２次巻線に発生する電圧の分だけ高くなる。
【００２０】
このように、回生電圧は、高速側から所定速度に減速するまで第２インバータを作動させる分だけ高くなるので、制動トルク一定で、回生パワーを増加させることができる。それ故、鉄道車両の高速走行中の制動時における誘導電動機の制動トルクを一定に保持できるため、この制動トルクを一定に維持した状態で回生ブレーキを作用させることができ、ブレーキ性能が高まる。
【００２１】
ところで、鉄道車両が所定速度以下の車速で減速される際には、インバータ制御手段は第１インバータのみをＰＷＭ制御する。この場合には、インバータ制御手段は第２インバータを制御して電圧添加用変圧器の１次巻線を短絡するので、変圧器による電圧降下を防止して、第１インバータによる制動動作に悪影響を及ぼすものではない。
【００２２】
請求項２の鉄道車両の電力制御装置は、請求項１において、前記インバータ制御手段は、加速走行時に設定速度に加速するまでは、第１インバータのみを作動させ、設定速度以上で加速する際には第１，第２インバータを作動させ、第１インバータのみ作動するときに第２インバータを制御して電圧添加用変圧器の１次巻線を短絡することにより２次巻線の電圧降下が生じないようにすることを特徴としている。
【００２３】
請求項３の鉄道車両の電力制御装置は、走行駆動用の三相誘導電動機と、走行時に架線の直流を三相交流に変換して誘導電動機に供給可能で且つ制動時に誘導電動機で回生した電力を直流に変換して架線に供給可能な可変電圧・可変周波数型の第１インバータと、第１インバータをＰＷＭ制御するインバータ制御手段とを備えた鉄道車両の電力制御装置において、前記架線に対して第１インバータと並列接続され且つ前記インバータ制御手段で制御される可変電圧・可変周波数型の第２インバータと、前記第１インバータの交流側電力線と誘導電動機の間に設けられた２次巻線と、第２インバータの交流側電力線に接続された１次巻線とを備え且つ少なくとも制動時に誘導電動機の回生電圧を昇圧させる為の電圧添加用変圧器とを有し、前記インバータ制御手段は、回生時及び加速時共、全速度域に亙って第１インバータと第２インバータを作動させることを特徴としている。
【００２４】
この電力制御装置においては、インバータ制御手段は、回生時及び加速走行時共、全速度域に亙って第１インバータと第２インバータを作動させる。ここで、請求項１における第１インバータの出力電圧Ｅ１と第２インバータの出力電圧をＥ２を図３に夫々示し、請求項２における第１インバータの出力電圧Ｅ１と第２インバータの出力電圧Ｅ２を図２に示す。
【００２５】
第１インバータの出力電圧Ｅ１は、零から最大電圧Ｅ１Ｍ（図２の力行時においては「１００％」、図３の回生時においては「１１０％」）まで速度Ｖ１に比例して増加する。第１インバータの出力電圧Ｅ１が最大電圧Ｅ１Ｍに到達した時点の速度をＶ１Ｍとし、周波数をＦ１Ｍとする。第１インバータは以後、出力電圧Ｅ１が一定で、周波数Ｆ１のみが変化する。この時点から、第２インバータが動作を開始し、第２インバータの出力電圧Ｅ２は実速度Ｖと最大電圧Ｅ１Ｍに到達した時点の最大電圧速度Ｖ１Ｍの速度差に比例して増加する。
【００２６】
第２インバータの出力電圧Ｅ２が最大電圧Ｅ２Ｍに到達以後において、出力電圧Ｅ２が一定で、周波数Ｆ２のみが実速度Ｖと最大電圧速度Ｖ２Ｍとの速度差に比例して増加する。電圧添加用変圧器の大きさは、第２インバータの出力電圧Ｅ２の最大電圧Ｅ２Ｍと、この最大電圧Ｅ２Ｍに到達した時点の最大電圧速度Ｖ２Ｍ、即ち最大電圧速度Ｖ２Ｍのときの最大周波数Ｆ２Ｍの比、つまりＥ２Ｍ／Ｆ２Ｍで決まる。前述した請求項１及び請求項２において、第２インバータの出力電圧Ｅ２は、その時の実速度Ｖではなく、実速度Ｖと最大電圧速度Ｖ２Ｍの速度差に比例して変化する。
【００２７】
従って、電圧添加用変圧器の磁束密度は、最大電圧速度Ｖ２Ｍで最大となる。この最大電圧速度Ｖ２Ｍより速度が速い範囲では弱め界磁領域であるので、電圧添加用変圧器において弱め界磁となり、磁束密度は低下する。最大電圧速度Ｖ２Ｍより速度が遅い領域では、第２インバータの出力電圧Ｅ２を、その時の実速度Ｖではなく、実速度Ｖと最大電圧速度Ｖ１Ｍの速度差に比例して変更するようにしているので、最大電圧速度Ｖ１Ｍにおいて、出力電圧Ｅ２＝０であり、電圧添加用変圧器の磁束密度は零となる。
【００２８】
従って、この電圧添加用変圧器は、本来、Ｅ２／Ｆ＝Ｅ２Ｍ／Ｆ２Ｍ＝一定の条件で使用出来るが、非常に余裕のある条件で使用されていることになる。周波数Ｆ２の変化「零〜Ｆ２Ｍ」に比例して、出力電圧Ｅ２を「零〜Ｅ２Ｍ」に変化させる条件で使用可能である。別の見方をすれば、請求項３の条件で使用可能なことを示唆している。
【００２９】
そこで、請求項３のように、第１インバータと第２インバータとを同期させて、全速度に亙って作動制御するような制御方式を採用すれば、全く同じゲート信号を第１インバータと第２インバータとに与えればよいので、１つのインバータ制御手段を設け、第１インバータと第２インバータを夫々作動させるゲート駆動回路を個別に設ければよい。それ故、インバータ制御手段の簡素化を図ることができる。
【００３０】
一方、ＶＶＶＦインバータのＰＷＭ制御では、一般に、変調波である三角波と、１２０度の位相差を持つＵ相，Ｖ相，Ｗ相の正弦波との切り合い点を夫々求める。そして、各相に対応するように上下に夫々直列接続された２つのＩＧＢＴについて、各相の正弦波が三角波より大きい場合には、対応する相の上側のＩＧＢＴにゲート信号を与える。また、各相の正弦波が三角波より小さい場合には、下側のＩＧＢＴにゲート信号を与える。従って、ＶＶＶＦインバータの出力端子の電位は、ＤＣＬＩＮＫ電圧と零電圧の間を変化する矩形波電圧となる。
【００３１】
この場合、三角波との切り合い点が各相毎に異なるので、各相の出力端子には夫々異なる矩形波電圧が得られる。従って、３相誘導電動機のＵ相とＶ相端子間には、ＶＶＶＦインバータのＵ相の矩形波とＶ相の矩形波との差の電圧が加わり、Ｖ−Ｗ端子間にはＶ相の矩形波とＷ相の矩形波との差の電圧が加わり、Ｗ−Ｕ端子間にはＷ相の矩形波とＵ相の矩形波との差の電圧が加わる。
【００３２】
速度が零の場合には、３相誘導電動機に要求される加速トルクを発生するのに必要なスリップ周波数に対応する周波数の電圧を発生させ、Ｖ／Ｆ一定で加速する。変調波の三角波は低速域におけるトルク脈動を避けるために、最初はｋＨｚオーダーの非同期三角波を使用し、加速に応じて同期方式に切替え、９パルスモード→３パルスモード→１パルスモードに順次パルス数を減らして行く。
【００３３】
即ち、請求項３の場合には、請求項１、２のように、第１インバータと第２インバータとに異なった制御信号を与えるのではなく、走行を開始するときから、第１インバータと第２インバータとに全く同じ制御信号を同時に与えれば良いことになる。
【００３４】
更に、請求項１，２においては、第１インバータの動作中において、電圧添加用変圧器による電圧降下が生じないように、第２インバータのゲートに信号を与えて巻線短絡を行ない、巻線に短絡電流を流しておく必要があるのに対して、請求項３によれば、この様な短絡制御の必要が無くなり、合理的な回生制御及び加速制御が可能になる。それ故、回生時に関する第１インバータの出力電圧Ｅ１と第２インバータの出力電圧Ｅ２は、実施例に係る図６に示すようになり、また加速時（力行時）に関する第１インバータの出力電圧Ｅ１と第２インバータの出力電圧Ｅ２は実施例に係る図５に示すようになる。
【００３５】
請求項４の鉄道車両の電力制御装置は、走行駆動用の三相誘導電動機と、走行時に架線の直流を三相交流に変換して誘導電動機に供給可能で且つ制動時に誘導電動機で回生した電力を直流に変換して架線に供給可能な可変電圧・可変周波数型のインバータと、インバータをＰＷＭ制御するインバータ制御手段とを備えた鉄道車両の電力制御装置において、前記インバータの交流側電力線と誘導電動機の間に設けられた２次巻線と、前記インバータの交流側電力線のうちの前記２次巻線よりもインバータ側の部分に接続された１次巻線とを備え且つ少なくとも制動時に誘導電動機の回生電圧を昇圧させる為の電圧添加用変圧器を備えたことを特徴としている。
【００３６】
この電力制御装置においては、実施例の図７に示すように、電圧添加用変圧器を接続し、電動機電圧をインバータ電圧よりも昇圧させると、電圧を上げた分だけＶ／Ｆ一定領域を拡げることができる。インバータの電流と電動機電流の関係は、インバータ電圧と電動機電圧の逆比となる。インバータは図１１の最大電流を流す能力があるので、全速度域における回生時に上記の最大電流に維持するように変圧器の巻線比を設定すると、例えば図８に示す特性とすることができる。
【００３７】
一定トルク領域が僅かながら広がり、電動機電圧を昇圧した分、停動トルクの制約を受けない速度域が広がる。図１１では、高速域でのトルクが電動機の停動トルクの影響を受けるので、速度に対して大幅に低下しているが、図８の特性では、停動トルクの影響を受けない領域が広がり、一定パワー領域が使用できるので、高速域のトルクが図１１と比較して低下が少なくなり、高速域のブレーキ特性を改善できる。
【発明の効果】
【００３８】
請求項１の発明によれば、この鉄道車両の電力制御装置が、走行駆動用の三相誘導電動機と、可変電圧・可変周波数型の第１インバータと、インバータ制御手段とを備えている。前記架線に対して第１インバータと並列接続された可変電圧・可変周波数型の第２インバータと、第１インバータの交流側電力線と電動機との間の２次巻線と、第２インバータの交流側電力線に接続された１次巻線とを備え且つ少なくとも制動時に電動機の回生電圧を上昇させる為の電圧添加用変圧器とを設け、インバータ制御手段は、回生時に高速側から所定速度に減速するまでは、第１，第２インバータを作動させる。
【００３９】
従って、高速側から所定速度に減速するまで第２インバータを作動させる分だけ電圧添加用変圧器を介して回生電圧が高くなり、制動トルク一定で、回生パワーを増加させることができる。それ故、鉄道車両の高速走行中の制動時における誘導電動機の制動トルクを一定に保持できるため、この制動トルクを一定に維持した状態で回生ブレーキを作用させることができ、ブレーキ性能を格段に高めることができる。
【００４０】
第２インバータを作動させる分だけ回生電圧が高くなることから、架線に回生する回生電圧の回生率（回収率）を大幅に向上させることができる。この場合、第２インバータは特殊な高電圧大容量のスイッチング素子を使用した高価なインバータでなくてもよく、安価に構成することができる。
【００４１】
このように改善された制動トルク特性により、ブレーキ性能が改善されるので、鉄道車両の車速が低速に至るまで、ダイナミックブレーキや機械式ブレーキを使用することなく、回生ブレーキを効果的に作用させることができる為、回生時における省エネを発揮できる理想の鉄道車両を実現させることができる。
【００４２】
しかも、インバータ制御手段は、所定速度以下の車速で減速する際には第１インバータのみを作動させるのと同時に、第２インバータを制御して電圧添加用変圧器の１次巻線を短絡することにより変圧器による電圧降下を生じさせないようにするので、第１インバータによる制動動作に何ら悪影響を及ぼすことがない。
【００４３】
請求項２の発明によれば、前記インバータ制御手段は加速走行時に設定速度に加速するまでは、第１インバータのみを作動させるのと同時に、第２インバータを制御して電圧添加用変圧器の１次巻線を短絡することにより変圧器による電圧降下を生じさせないようにするので、第１インバータによる良好な加速性に何ら悪影響を及ぼすことがない。そして、インバータ制御手段は設定速度以上で加速する際には第１，第２インバータを作動させるので、誘導電動機に供給される電圧を、第２インバータと変圧器を作動させる分だけ増大させることができ、加速性を格段に向上させることができる。その他請求項１と同様の効果を奏する。
【００４４】
請求項３の発明によれば、インバータ制御手段は、回生時及び加速走行時共、全速度域に亙って第１インバータと第２インバータを作動させるため、請求項１、２のように、第１インバータと第２インバータとに異なった制御信号を与えるのではなく、走行を開始するときから、第１インバータと第２インバータとに全く同じ制御信号を同時に与えれば良いことになる。
【００４５】
更に、請求項１，２では、第１インバータの動作中において、電圧添加用変圧器の電圧降下が生じないように、第２インバータのゲートに信号を与えて巻線短絡を行ない、巻線に短絡電流を流しておく必要があるのに対して、請求項３によれば、この様な短絡制御の必要が無くなり、合理的な回生制御及び加速制御が可能になる。
しかも、前記のように、３相誘導電動機側から見ると、恰も電源電圧が例えば１．４倍の駆動電圧が供給され、例えば１．４倍の耐圧を有する半導体素子で構成された単一のＶＶＶＦインバータで駆動される電力制御装置と等価に構成することができる。
【００４６】
請求項４の発明によれば、インバータの電圧、電流容量を最大限使用して、回生領域を拡げるために、インバータと電動機の間に電圧添加用変圧器を挿入したため、巻線比分電動機電圧を上げている。電動機電流はインバータ電流に対して、変圧器の逆比で決まりインバータ電流より少ない電流が流れる。
これにより、回生時に電動機電圧をインバータ電圧よりも昇圧させ、Ｖ／Ｆ一定領域を拡げることができ、電動機電圧を昇圧した分、停動トルクの制約を受けない領域を拡げることでき、高速域におけるトルクを高め、高速域におけるブレーキ特性を改善することができる。また、電流が減少した分、力行時の加速トルクが低下するけれども、Ｖ／Ｆ一定領域を拡がり、従来方式では加速トルクが減少する領域においても、加速度一定に維持できるので力行の加速性能は影響を受けない。
【発明を実施するための最良の形態】
【００４７】
以下、本発明を実施するための最良の形態について図面に基づいて説明する。
【実施例１】
【００４８】
この実施例の鉄道車両の電力制御装置は、誘導電動機に３相交流を供給可能な可変電圧・可変周波数型の主インバータに加えて、可変電圧・可変周波数型の副インバータを架線に対して主インバータと並列接続し、電圧添加用変圧器の１次巻線を副インバータに接続し且つ２次巻線を主インバータに接続し、その２次巻線電圧を主インバータの出力電圧に直列に添加して、鉄道車両の高速走行状態から減速させる制動時の制動トルクや回生電力の回収率を向上でき、しかも高速走行時の加速性を向上できるように構成してある。
【００４９】
図１に示すように、鉄道車両である電動車２は、図示外の変電所から架線１に給電される直流をパンタグラフ３で集電し、高速遮断器５と高周波成分を阻止するフィルタリアクトル６を介してＤＣＬＩＮＫ（給電ライン）４に供給し、ＶＶＶＦ制御（可変電圧可変周波数制御）が可能な主インバータ７（これが第１インバータに相当する）により、Ｖ（電圧）／Ｆ（周波数）一定の３相交流に変換するようになっている。そして、３相交流用の誘導電動機１０は主インバータ７から供給される３相交流の電圧と周波数と、誘導電動機１０の回転周波数に応じて駆動され、電動車２は加速走行や減速走行が可能に構成されている。
【００５０】
次に、力行時に誘導電動機１０を駆動制御し且つ回生時に誘導電動機１０で誘起した回生電力を架線１に供給する電力制御装置１８について説明する。
【００５１】
図１に示すように、電力制御装置１８は、主インバータ７と、副インバータ８（これが第２インバータに相当する）と、主インバータ７の出力電圧に副インバータ８の出力電圧を添加する電圧添加用の３相変圧器９と、架線電圧を検出する第１電圧検出器１２と、ＤＣＬＩＮＫ４に供給されるＤＣＬＩＮＫ電圧を検出する第２電圧検出器１３と、主インバータ７の交流側電力線Ｌ１，Ｌ２の電流を検出するＵ１，Ｖ１電流検出器１４，１５と、副インバータ８の交流側電力線Ｌ４，Ｌ５の電流を検出するＵ２，Ｖ２電流検出器１６，１７と、主及び副インバータ７，８を夫々ＰＷＭ制御するインバータ制御装置１１（これがインバータ制御手段に相当する）等を備えている。
【００５２】
主インバータ７は、６つのスイッチング素子Ｓ１〜Ｓ６をブリッジ状に接続した可変電圧・可変周波数型の一般的なＶＶＶＦインバータであるので、その詳しい説明を省略する。また、副インバータ８は主インバータ７と同様に、６つのスイッチング素子Ｓ１１〜Ｓ１６をブリッジ状に接続した構成のインバータであるため、その詳しい説明を省略する。これらスイッチング素子Ｓ１〜Ｓ６、Ｓ１１〜Ｓ１６は、ＩＧＢＴ（絶縁ゲートバイポーラトランジスタ）からなっている。また、各スイッチング素子Ｓ１〜Ｓ６、Ｓ１１〜Ｓ１６の各々には、還流ダイオードが夫々接続されている。
【００５３】
主インバータ７の直流側入力線７ＡはＤＣＬＩＮＫ４に接続されるとともに、副インバータ８の直流側入力線８ＡもＤＣＬＩＮＫ４に接続されている。副インバータ８は架線１に対して主インバータ７と並列接続されている。図１に示すように、電圧添加用の３相変圧器９は、主インバータ７と誘導電動機１０の間に設けられている。
【００５４】
主インバータ７の交流側電力線Ｌ１〜Ｌ３は３相変圧器９の２次巻線Ｕａ，Ｖａ，Ｗａの左側端子に夫々接続され、３相変圧器９の２次巻線Ｕａ，Ｖａ，Ｗａの右側端子に誘導電動機１０の電力線Ｌ７〜Ｌ９が夫々接続されている。副インバータ８の交流側電力線Ｌ４〜Ｌ６は３相変圧器９の１次巻線Ｕｂ，Ｖｂ，Ｗｂの左側端子に夫々接続され、３相変圧器９の１次巻線Ｕｂ，Ｖｂ，Ｗｂの右側端子はスター結線されている。このように、副インバータ８の交流側電力線Ｌ４〜Ｌ６と誘導電動機１０とは、３相変圧器９の１次巻線Ｕｂ，Ｖｂ，Ｗｂと２次巻線Ｕａ，Ｖａ，Ｗａを介して磁気的に結合されている。
【００５５】
インバータ制御装置１１は、入出力インターフェイスとマイクロコンピュータを有し、図示外の車速センサからの走行速度信号と、第１，第２電圧検出器１２，１３の検出電圧と、主インバータ７用のＵ１，Ｖ１電流検出器１４，１５の検出電流及び副インバータ８用のＵ２，Ｖ２電流検出器１６，１７の検出電流を受け、運転士により操作されたマスターコントローラの運転操作又はブレーキ操作に基づいて、主インバータ７の各スイッチング素子Ｓ１〜Ｓ６と、副インバータ８の各スイッチング素子Ｓ１１〜Ｓ１６とを、運転状態に応じて夫々ＰＷＭ制御する。
【００５６】
次に、このように構成された電力制御装置１８の作動について説明する。
先ず、説明の都合上、運転士によりマスターコントローラが走行操作され、電動車２が加速走行する力行時の加速作動について、図２に基づいて説明する。但し、図２において、電動機のトルク、パワー、電流、電圧は、従来方式における力行時（図１０参照）の最大値を１００％として表してある。
【００５７】
図２において、電動車２の車速が約５０ｋｍ／ｈ（設定速度に相当する）に達するまでは、図１０に基づいて従来技術の欄で説明したように、インバータ制御装置１１により主インバータ７のみが作動するように制御される。この場合、インバータ制御装置１１は、使用しない副インバータ８の各スイッチング素子Ｓ１１〜Ｓ１６を制御して、３相変圧器９の１次巻線（Ｕｂ，Ｖｂ，Ｗｂ）を短絡させる。これにより、３相変圧器９の２次巻線（Ｕａ，Ｖａ，Ｗａ）の電圧降下が生じないので、主インバータ７による加速走行に悪影響を及ぼさないようになっている。
【００５８】
即ち、車速が約５０ｋｍ／ｈに達する低速走行時では、従来と同様に、誘導電動機１０の３つの電機子コイルにおいて、電流一定で、電圧は電圧／周波数を一定として徐々に増加するため、トルク一定（約１００％）で、パワーは電圧の上昇と共に増加する。速度５０ｋｍ／ｈで１パルスモードとなり、以後において主インバータ７は電圧一定で、周波数だけが変えられる。
【００５９】
しかし、インバータ制御装置１１は、電動車２の車速を約５０ｋｍ／ｈ以上に加速する為に、主インバータ７に加えて、副インバータ８を３パルスモードにより同時に作動するように制御する。次に、電動車２の高速走行時の作動について、図４を参照しながら説明する。
【００６０】
図４の最上段に、主インバータ７用にインバータ制御装置１１で発生された１パルスモードの第１正弦被変調波（ＵＡ相，ＶＡ相，ＷＡ相）と、副インバータ８用にインバータ制御装置１１で発生された３パルスモードの第２正弦被変調波（ＵＢ相，ＶＢ相，ＷＢ相）と、同期３パルスモード用の三角形の変調波ＣＷが示されている。
【００６１】
それ故、ＵＡ相，ＶＡ相，ＷＡ相の各第１正弦被変調波は同期３パルスモード用の変調波ＣＷとの交点が無いので１パルスとなる。第２正弦被変調波の振幅は副インバータ８が３パルスのパルス幅制御状態にあるので、第１正弦被変調波の振幅より小さく、第２正弦被変調波（ＵＢ相，ＶＢ相，ＷＢ相）は変調波ＣＷと複数箇所で交差するようになっている。そこで、インバータ制御装置１１により、主インバータ７の各スイッチング素子Ｓ１〜Ｓ６が第１正弦被変調波と変調波ＣＷの交点に応じてＰＷＭ制御されるとともに、副インバータ８の各スイッチング素子Ｓ１１〜Ｓ１６が第２正弦被変調波と変調波ＣＷの交点に応じてＰＷＭ制御される。
【００６２】
それ故、主インバータ７の各接続点Ｕ１ａ，Ｖ１ａ，Ｗ１ａの電位は、図４に示す１８０°幅の矩形波電圧が出力される。そこで、主インバータ７の接続点Ｕ１ａ−Ｖ１ａ間、接続点Ｖ１ａ−Ｗ１ａ間、接続点Ｗ１ａ−Ｕ１ａ間には、夫々の接続点における差電位が与えられ、図示の１２０°幅の矩形波電圧が出力される。更に、主インバータ７からの出力点（Ｕ１相，Ｖ１相，Ｗ１相）電位と、スター接続された仮想負荷の中性点間の差電位であるＵ１相電圧，Ｖ１相電圧，Ｗ１相電圧が図示のように出力される。
【００６３】
一方、副インバータ８の接続点Ｕ２ａ，Ｖ２ａ，Ｗ２ａにおける電位は、図４に示す矩形波２パルス列で示される。この副インバータ８の波形と主インバータ７の波形を比較すると、主インバータ７は矩形波１パルスで、この中間部が零電位でこの部分は、変調波ＣＷと各相の被変調波の切り合いに関連する。副インバータ８の出力電圧を上げる方向に制御すれば零電位幅は減少し、最終的に零電位幅は零となり、第１インバータと一致し、１２０°幅の１パルス波形となる。
【００６４】
そこで、副インバータ８の接続点Ｕ２ａ−Ｖ２ａ間、接続点Ｖ２ａ−Ｗ２ａ間、接続点Ｗ２ａ−Ｕ２ａ間には、図示の矩形波電圧が夫々出力される。更に、副インバータ８からの出力点（Ｕ２相，Ｖ２相，Ｗ２相）電圧と、３相変圧器９の１次巻線中性点間の差電位であるＵ２相電圧，Ｖ２相電圧，Ｗ２相電圧が図示のように出力される。
【００６５】
副インバータ８の相電圧は３相変圧器９を介してその２次巻線（Ｕａ，Ｖａ，Ｗａ）に巻線比でステップダウンされた電圧が（ここでは、２次/ １次＝０．４）出力され、主インバータ７の相電圧に加算され、誘導電動機１０のＵ相電圧と、Ｖ相電圧と、Ｗ相電圧とが夫々得られる。そして、最終的に、図４の最下段に示すように、誘導電動機１０のＵ相−Ｖ相端子間電圧、Ｖ相−Ｗ相端子間電圧、Ｗ相−Ｕ相端子間電圧が得られる。
【００６６】
ところで、図４に示すように、これら誘導電動機１０のＵ相−Ｖ相端子間、Ｖ相−Ｗ相端子間、Ｗ相−Ｕ相端子間には、主インバータ７により誘導電動機１０に供給される本来の端子間電圧に、副インバータ８により発生される電圧の４０％が加算された端子間電圧が発生する。図４において、その重畳電圧の振幅を「加算電圧λＥ」として記載する。この場合、主インバータ７に対して加算される副インバータ８の割合は、３相変圧器９の巻線比（２次巻線／１次巻線）をλとし、主インバータ相電圧をＥとすれば、副インバータ８による加算電圧は加速制御の最終段階、即ち１パルスの状態でλＥとなる。
【００６７】
それ故、電動車２が５０ｋｍ／ｈ以上の高速で走行する場合、３相変圧器の巻線比λ＝０．４とすれば、誘導電動機１０に供給される電圧を、主インバータ７による供給電圧（図２の出力電圧Ｅ１：１００％）に対して最大４０％（図２の出力電圧Ｅ２：４０％）だけ増大させることができる。
【００６８】
このように、図２に示すように、電動車２の車速が５０ｋｍ／ｈ〜約７０ｋｍ／ｈまでの高速走行領域、つまり「電圧Ｖ／周波数Ｆ一定」の加速領域が、副インバータ８による加算電圧可能な範囲において、電圧特性及びパワー特性が直線状に延びている。その為、電動機トルクを一定とするトルク特性が高速領域に及ぶようになり、加速性を向上することができる。
【００６９】
但し、この場合、電圧の増加分（重畳分λＥ）が「約４０％」であるので、別の見方をすれば、規定速度までの到達時間が決められている場合に、一定トルク領域が高速まで延びた場合、到達時間は短縮される。そこで、到達時間が同じで良いのであれば、時間が短縮された分、加速トルク、つまり電動機電流を減らして良いことになる。
【００７０】
次に、このように、電動車２が、例えば約１００ｋｍ／ｈの高速加速走行状態において、運転士によりブレーキ操作された場合の制動時における回生ブレーキ作動について説明する。但し、図３において、電動機のトルク、パワー、電流、電圧は、従来方式制動時の最大値を１００％として表してある。
【００７１】
この場合、前述したように、電動車２が高速走行状態においては、インバータ制御装置１１により主インバータ７は１パルスで周波数制御され、副インバータ８がＰＷＭ制御されている。この両インバータ７，８の制御においては、インバータ制御装置１１は、誘導電動機１０の電圧及び電流、回転速度、第１電圧検出器１２で検出された架線電圧、架線電流、第２電圧検出器１３により検出されたＤＣＬＩＮＫ電圧を受け、マスコンからの減速度指令に基づいて、インバータ制御装置１１のコンピュータにより演算された実際の減速度が一致するように、主，副インバータ７，８の位相を制御するものである。
【００７２】
そこで、このように回生ブレーキ操作された制動時にも同様に、車速が約５０ｍ／ｈ（所定速度に相当する）に減速されるまで、インバータ制御装置１１は、マスコンからの減速度指令と、第１，第２電圧検出器１２，１３からの検出電圧、Ｕ１，Ｖ１電流検出器１４，１５からの検出電流、Ｕ２，Ｖ２電流検出器１６，１７からの検出電流に基づいて演算した実際の減速度とが一致するように、必要な制御信号を主，副インバータ７、８に対して出力する。
【００７３】
但し、副インバータ８は、車速が約１００ｋｍ／ｈの高速走行から約５０ｋｍ／ｈに減速するのに応じて、パルスモードが１パルス、３パルス、９パルスから徐々に力行とは逆に変更されて、そのパルス幅が１００％から零になるように制御される。
【００７４】
回生ブレーキに入る前の条件としては、（ａ）力行中、（ｂ）惰行（励磁あり）、（ｃ）惰行（励磁なし）の３ケースが考えられる。ケース（ａ），（ｂ）では主，副インバータ７，８が動作中で電動機１０の回転磁界は既に存在している。ケース（ｃ）では主，副インバータ７，８は作動していないので、電動機１０の回転磁界は存在していない。この場合、先ず回転周波数に等しい周波数で主，副インバータ７，８を立ち上げ、電動機１０に電圧を加え、励磁電流を流し、回転磁界を発生させる必要がある。
【００７５】
それ故、主，副インバータ７，８により電流０に励磁電流を流すために電圧を加え、皆伝磁界を発生させたところに、ブレーキ指令が与えられ、インバータ周波数が回転子の回転周波数より下げられると、高速で回転する誘導で０の電機子コイルに高電圧の回生電圧が誘起される。この回生電圧は、主インバータ７の電圧と直列に挿入された３相変圧器９の１次巻線（Ｕｂ，Ｖｂ，Ｗｂ）に誘起する副インバータ８の電圧で対向し、両インバータ７，８を通して架線１に回生される。
【００７６】
最高速度における副インバータ８の電圧分担はＤＣＬＩＮＫ電圧に対して、変圧器９の巻線比（Ｕａ巻数／Ｕｂ巻数、本実施例では０．４）に対応した値で、走行速度の低下と共に、先ず副インバータ８を制御して分担電圧を零まで下げ、その後、主インバータ７側により速度零まで制御される。
【００７７】
このことは、図９の従来技術で説明したように、主インバータ７の回生時においては、誘導電動機１０は「約１１０％」の回生電圧を発生した。これに対して、本案の回生時においては、副インバータ８が主インバータ７と同時に作動することにより、図４の最下段に示すように、誘導電動機１０のＵ相−Ｖ相端子間、Ｖ相−Ｗ相端子間、Ｗ相−Ｕ相端子間の各々には、主インバータ７だけで発生する出力電圧（図３の出力電圧Ｅ１：１１０％）に副インバータ８による「加算電圧λＥ（図３の出力電圧Ｅ２：４０％）」が重畳された、より高い電圧、つまり「約１５０％」もの大きな回生電圧を発生することが出来る。従って、誘導電動機１０の電機子コイルには、この約１５０％もの大きな回生電圧が発生するようになる。
【００７８】
それ故、図３に示すように、制動トルクが約１００％で略一定で、パワーを約２００％の略最大限まで増加させることができる。その結果、車速が約１００ｋｍ／ｈの高速走行時における回生制動トルクを約１００％で一定に保持できるため、回生によるフルブレーキを速度全域において使用可能となる。
【００７９】
また、３相変圧器９の巻線比（変圧比）がλであるので、主インバータ７に流れる電流をＩとすれば、副インバータ８に流れる電流はλＩの電流容量でよく、副インバータ８は高電圧且つ大容量のスイッチング素子で構成する必要がなく、副インバータ８の製作コストの低減、省エネが期待され、且つ主インバータ７については経済的に有利な従来と同様のインバータを使用することができる。
【００８０】
加えて、このように改善されたトルク特性により、回生ブレーキ性能が改善されたので、電動車２の車速が低速に至るまで、機械式ブレーキを使用することなく、回生ブレーキを効果的に作用させることができるため、回生ブレーキ使用時における省エネを発揮できる理想の電動車２を実現させることができる。更に、機械式ブレーキの使用頻度や使用時間が格段に少なくなり、メンテナンス作業が簡単化する。
【００８１】
その後、車速が約５０ｋｍ／ｈに減速され、副インバータ８による電圧成分が零になると、図３に示すように、従来と同様に、インバータ制御装置１１により主インバータ７のみが所定の回生制御パターンによりＰＷＭ制御され、走行速度が徐々に減速する。このとき、インバータ制御装置１１は、使用しない副インバータ８の各スイッチング素子Ｓ１１〜Ｓ１６を制御して、３相変圧器９の１次巻線（Ｕｂ，Ｖｂ，Ｗｂ）を短絡させる。
【００８２】
これにより、３相変圧器９の２次巻線（Ｕａ，Ｖａ，Ｗａ）の電圧降下が生じないので、主インバータ７による制動動作に悪影響を及ぼさないようになっている。その後、主インバータ７のパルスモードが同期１パルス、３パルス、９パルスから非同期へと徐々に力行とは逆に変更されて、そのパルス幅が１００％から零になるように減速に応じて制御される。但し、電動車２の走行速度が、例えば５ｋｍ／ｈ以下に減速された以降においては、機械式ブレーキに切換える。
【００８３】
このように、走行駆動用の三相誘導電動機１０と、可変電圧・可変周波数型の主インバータ７と、３相変圧器９の２次巻線（Ｕａ，Ｖａ，Ｗａ）と、インバータ制御装置１１とを備え、可変電圧・可変周波数型の副インバータ８と、３相変圧器９の１次巻線（Ｕｂ，Ｖｂ，Ｗｂ）とを備え、インバータ制御装置１１は、回生時に高速側から所定速度に減速するまでは、主，副インバータ７，８を作動させるので、高速側から所定速度に減速するまで副インバータ８を作動させた増加分（λＥである約４０％）だけ回生電圧が高くなり、制動トルク一定で、回生パワーを増加させることができる。それ故、電動車２の高速走行中の制動時における誘導電動機１０の制動トルクを一定に保持できる為、この制動トルクを一定に維持した状態で回生ブレーキを作用させることができ、ブレーキ性能を格段に高めることができる。
【００８４】
また、副インバータ８を作動させた増加分（約４０％）だけ回生電圧が高くなることから、架線１に回生する回生電圧の回生率（回収率）を大幅に向上させることができる。この場合、副インバータ８は特殊な高電圧且つ大容量のスイッチング素子を使用した高価なインバータでなくてもよく、安価に構成することができる。
【００８５】
更に、このように改善された制動トルク特性により、ブレーキ性能が改善されるので、電動車２の車速が低速になるまで、機械式ブレーキを使用することなく、回生ブレーキを効果的に作用させることができるため、省エネ且つ経済的なインバータを実現することできるとともに、回生時における省エネを発揮できる理想の電動車２を実現させることができる。
【００８６】
また、インバータ制御装置１１は加速走行時に設定速度に加速するまでは、主インバータ７のみを作動させるのと同時に、副インバータ８を制御して電圧添加用変圧器の１次巻線を短絡することにより２次巻線による電圧降下を生じさせないようにするので、主インバータ７による良好な加速性に何ら悪影響を及ぼすことがない。
【００８７】
一方、加速時における高速加速走行時においては、副インバータ８を作動させる分だけ誘導電動機１０に供給される駆動電圧が約４０％も高くなり、電圧特性及びパワー特性が改善され、電動機トルクを一定とする電動機トルク特性が高速領域に及ぶようになり、加速性を格段に向上させることができる。
【００８８】
別の見方をすれば、同じ速度までの加速時間が同じで良いとするのであれば、副インバータ８の使用による高速域の加速トルクが大となるので設定の速度に到達するまでの加速時間が短くなる、従ってこの分加速トルク即ち電動機電流、インバータ電流を減らして良いことになる。
【００８９】
次に、前記実施例を部分的に変更した変更形態について説明する。
１）  第１変更形態: ３相変圧器９の２次巻線／１次巻線の巻線比λは、０．４に限るものではなく、所望の割合の巻線数を用いるようにしてもよい。
【００９０】
２）第２変更形態: 回生時における所定速度や加速走行時における設定速度は、５０ｋｍ／ｈに限るものではなく、副インバータ８の動作特性や三相変圧器９の構成に応じて、適宜変更することが可能である。
【００９１】
３）第３変更形態：  主、副インバータ７，８を規定の速度を境にして、低速域は主インバータ７、高速域は副インバータ８と分ける必要はなく、両インバータ７，８を関連させて、低速から最高速度まで同時に作動させる方法を採用しても良い。
【００９２】
４）第４変更形態：  インバータ制御装置１１は、回生時及び加速走行時共、全速度域に亙って主インバータ７と副インバータ８を同時に作動させるようにしてもよい。ここで、加速制御を行なう場合の主インバータ７の出力電圧Ｅ１と副インバータ８の出力電圧Ｅ２を図２に夫々示し、回生制御を行なう場合の主インバータ７の出力電圧Ｅ１と副インバータ８の出力電圧をＥ２を図３に夫々示す。
【００９３】
主インバータ７の出力電圧Ｅ１は、零から最大電圧Ｅ１Ｍ（図２の力行時においては「１００％」、図３の回生時においては「１１０％」）まで速度Ｖ１に比例して増加する。主インバータ７の出力電圧Ｅ１が最大電圧Ｅ１Ｍに到達した時点の速度をＶ１Ｍとし、周波数をＦ１Ｍとする。主インバータ７は以後、出力電圧Ｅ１が一定で、周波数Ｆ１のみが変化する。この時点から、副インバータ８が動作を開始し、副インバータ８の出力電圧Ｅ２は、実速度Ｖと最大電圧Ｅ２Ｍに到達した時点の最大電圧速度Ｖ２Ｍの速度差に比例して増加する。
【００９４】
副インバータ８の出力電圧Ｅ２が最大電圧Ｅ２Ｍに到達以後において、出力電圧Ｅ２が一定で、周波数Ｆ２のみが速度Ｖ２に比例して増加する。電圧添加用変圧器９の大きさは、副インバータ８の出力電圧Ｅ２の最大電圧Ｅ２Ｍと、この最大電圧Ｅ２Ｍに到達した時点の最大電圧速度Ｖ２Ｍ、即ち最大電圧速度Ｖ２Ｍのときの最大周波数Ｆ２Ｍの比、つまりＥ２Ｍ／Ｆ２Ｍで決まる。前述した請求項１及び請求項２において、副インバータ８の出力電圧Ｅ２は、その時の実速度Ｖではなく、実速度Ｖと最大電圧速度Ｖ２Ｍの速度差に比例して変化する。
【００９５】
従って、電圧添加用変圧器９の磁束密度は、最大電圧速度Ｖ２Ｍで最大となる。この最大電圧速度Ｖ２Ｍより速度が速い範囲では弱め界磁領域であるので、電圧添加用変圧器９において弱め界磁となり、磁束密度は低下する。最大電圧速度Ｖ２Ｍより速度が遅い領域では、副インバータ８の出力電圧Ｅ２を、その時の実速度Ｖではなく、実速度Ｖと最大電圧速度Ｖ２Ｍの速度差に比例して変更するようにしているので、最大電圧速度Ｖ２Ｍにおいて、出力電圧Ｅ２＝０であり、電圧添加用変圧器の磁束密度は零となる。
【００９６】
従って、この電圧添加用変圧器９は、本来、Ｅ２／Ｆ＝Ｅ２Ｍ／Ｆ２Ｍ＝一定の条件で使用出来るが、非常に余裕のある条件で使用されていることになる。周波数Ｆ２の変化「零〜Ｆ２Ｍ」に比例して、出力電圧Ｅ２を「零〜Ｅ２Ｍ」に変化させる条件で使用可能である。別の見方をすれば、請求項３の条件で使用可能なことを示唆している。
【００９７】
そこで、この第４変更形態のように、主インバータ７と副インバータ８とを同期させて、全速度に亙って作動制御するような制御方式を採用すれば、全く同じゲート信号を主インバータ７と副インバータ８とに与えればよいので、１つのインバータ制御手段を設け、主インバータ７と副インバータ８を夫々作動させるゲート駆動回路を個別に設ければよい。それ故、インバータ制御手段の簡素化を図ることができる。
【００９８】
一方、ＶＶＶＦインバータのＰＷＭ制御では、一般に、変調波である三角波と、１２０度の位相差を持つＵ相，Ｖ相，Ｗ相の正弦波との切り合い点を夫々求める。そして、各相に対応するように上下に夫々直列接続された２つのＩＧＢＴについて、各相の正弦波が三角波より大きい場合には、対応する相の上側のＩＧＢＴにゲート信号を与える。また、各相の正弦波が三角波より小さい場合には、下側のＩＧＢＴにゲート信号を与える。従って、ＶＶＶＦインバータの出力端子の電位は、ＤＣＬＩＮＫ電圧と零電圧の間を変化する矩形波電圧となる。
【００９９】
この場合、三角波との切り合い点が各相毎に異なるので、各相の出力端子には夫々異なる矩形波電圧が得られる。従って、３相誘導電動機１０のＵ相とＶ相のＵ−Ｖ端子間には、ＶＶＶＦインバータのＵ相の矩形波とＶ相の矩形波との差の電圧が加わり、Ｖ−Ｗ端子間にはＶ相の矩形波とＷ相の矩形波との差の電圧が加わり、Ｗ−Ｕ端子間にはＷ相の矩形波とＵ相の矩形波との差の電圧が加わる。
【０１００】
速度が零の場合には、３相誘導電動機１０に要求される加速トルクを発生するのに必要なスリップ周波数に対応する周波数の電圧を発生させ、Ｖ／Ｆ一定で加速する。変調波の三角波は低速域におけるトルク脈動を避けるために、最初はｋＨｚオーダーの非同期三角波を使用し、加速に応じて同期方式に切替え、９パルスモード→３パルスモード→１パルスモードに順次パルス数を減らして行く。
【０１０１】
即ち、回生時及び加速走行時共、全速度域に亙って主インバータ７と副インバータ８を同時に作動させる場合には、前述した実施例のように、主インバータ７と副インバータ８とに異なった制御信号を与えるのではなく、走行を開始するときから、主インバータ７と副インバータ８とに全く同じ制御信号を同時に与えれば良いことになる。
【０１０２】
更に、前記の実施例においては、主インバータ７の動作中において、電圧添加用変圧器９の電圧降下が生じないように、副インバータ８のゲートに信号を与えて巻線短絡を行ない、巻線に短絡電流を流しておく必要があるのに対して、この第４変更形態によれば、この様な短絡制御の必要が無くなり、合理的な回生制御及び加速制御が可能になる。それ故、回生時に関する主インバータ７の出力電圧Ｅ１と副インバータ８の出力電圧Ｅ２は図６に示すようになり、また加速時（力行時）に関する主インバータ７の出力電圧Ｅ１と副インバータ８の出力電圧Ｅ２は図５に示すようになる。
【０１０３】
それ故、３相誘導電動機１０側から見ると、恰も電源電圧が１．４倍の駆動電圧が供給され、１．４倍の耐圧を有する半導体素子で構成された単一のＶＶＶＦインバータで駆動される電力制御装置と等価に構成することができる。
【実施例２】
【０１０４】
次に、本発明の実施例２について、図７，図８に基づいて説明する。
図７に示すように、この鉄道車両の電力制御装置１８Ａは、前記実施例の電力制御装置１８における副インバータ８と、電流検出器１６，１７を省略すると共に、電圧添加用変圧器９Ａの１次巻線Ｕｂ，Ｖｂ，Ｗｂの接続部位を変更したものであるので、前記実施例と同様の構成要素に同一符号を付して説明を省略し、異なる構成について説明する。
【０１０５】
前記電圧添加用変圧器９Ａの１次巻線Ｕｂ，Ｖｂ，Ｗｂの端部は、インバータ７の交流側電力線Ｌ１，Ｌ２，Ｌ３のうちの２次巻線Ｕａ，Ｖａ，Ｗａよりもインバータ７側の部分に夫々接続されている。電圧添加用変圧器９Ａは、１次巻線Ｕｂ，Ｖｂ，Ｗｂと２次巻線Ｕａ，Ｖａ，Ｗａとを備え、少なくとも制動時（回生時）に誘導電動機１０の回生電圧を昇圧させる為のものである。
【０１０６】
図７の電圧添加用変圧器９Ａは、図７−１に示す単巻変圧器と同等のものであり、この単巻変圧器に基づいて説明する。変圧器９Ａの３相の巻線はスター接続され、変圧器９Ａの中間タップは、インバータ７の交流側電力線Ｌ１，Ｌ２，Ｌ３に接続され、電動機１０の電力線Ｌ７，Ｌ８，Ｌ９は、変圧器９Ａの出力端子に接続され、電動機電圧を（Ｕａ巻数＋Ｕｂ巻数）／Ｕｂ巻数の巻線比（本実施例の場合、１．４）で昇圧させる。
尚、インバータ制御装置１１によりインバータ７を制御する制御方式は、前記実施例と同様であるのでその説明を省略する。
【０１０７】
この電力制御装置１８Ａにおいては、図７に示すように電圧添加用変圧器９Ａを接続し、回生時に電動機電圧をインバータ電圧よりも昇圧させると、電圧を上げた分だけＶ／Ｆ一定領域を拡げることができる。インバータ７の電流と電動機電流の関係は、インバータ電圧と電動機電圧の逆比となる。インバータは図１１の電動機電流の最大電流（従来技術では、変圧器９Ａがないので電動機電流＝インバータ電流である）を流す能力があるので、全速度域における回生時に上記の最大電流に維持するように変圧器９の巻線比を設定すると、例えば図８に示す特性とすることができる。尚、巻線比は、２次／１次＝０．４に設定してもよいが、これに限定されるものではない。
【０１０８】
一定トルク領域が僅かながら広がり、電動機電圧を昇圧した分、停動トルクの制約を受けない速度域が広がる。従来技術に係る図１１では、高速域でのトルクが電動機１０の停動トルクの影響を受けるので速度に対して大幅に低下しているが、図８に示す本実施例の特性では、停動トルクの影響を受けない領域が広がり、一定パワー領域が使用できるので、高速域のトルクが図１１と比較して低下が少なくなり、高速域のブレーキ特性を改善できる。
【０１０９】
この電力制御装置１８Ａによれば、インバータ７の交流側電力線Ｌ１，Ｌ２，Ｌ３と誘導電動機１０の間に、前記のような電圧添加用変圧器９Ａを設けたので、少なくとも回生時に電動機電圧１０をインバータ電圧よりも昇圧させ、Ｖ／Ｆ一定領域を拡げることができる。電動機電圧を昇圧した分、停動トルクの制約を受けない領域を拡げることでき、高速域におけるトルクを高め、高速域におけるブレーキ特性を改善することができる。
【０１１０】
即ち、上記の単巻変圧器である電圧添加用変圧器９Ａの中間タップにインバータ７の３相出力電圧を加えれば、変圧器９Ａの出力端子には巻線比倍された電圧が発生し、この電圧が端子電圧となる。無励磁での惰行状態にある場合、回転周波数と等しい周波数の３相交流電圧をインバータ７により電動機１０に加えれば電機子巻線に励磁電流が流れ、回転磁界を発生する。
【０１１１】
インバータ周波数が電動機１０の回転周波数に等しい場合、電動機１０の回転子とインバータ７により電動機１０の電機子と回転子の間の空隙に発生する回転磁界の回転速度が等しく、回転子と回転磁界の相対速度が零で、回転子巻線を磁束が切ることはないので、巻線に誘起起電力（速度起電力）は発生せず、電動機１０に加えられる電圧に対応した励磁電流のみ流れる。
【０１１２】
回生指令がある場合は、インバータ７の周波数は回転子の回転周波数より低い値に設定される、回転子巻線はインバータ周波数と回転周波数の差の周波数で切られ、巻線には周波数差（滑り周波数、回生時には滑り＜０、力行時には滑り＞０）に比例した電圧を発生し、回転子の巻線（２次巻線）に電流が流れる。この電流と空隙の磁界の間に力が働き、回転を下げる（減速ブレーキ力）方向に作用する。
【０１１３】
同時に、この電流により空隙に磁界を発生、電機子巻線（１次巻線）にはこの磁界を打ち消す方向に電流が流れる。この電流は、電動機１０のトルクに関連する電流なので、トルク電流と呼ばれ、前述の励磁電流と区別される。電機子巻線に実際に流れる電流は、励磁電流とトルク電流の合成で、電動機に加えられる電圧に対して、トルク電流は同位相、励磁電流はπ／２（９０度）遅れで、両者のベクトル合成で求められる。
【０１１４】
力行の場合、インバータ周波数を回転周波数よりも大きくする（滑り＞０）、回転子巻線には回生とは逆方向に電流がながれ、空隙の磁界との間に働く力も逆方向で回転を上げる方向の力（加速力）となる。電動機電流はインバータ電流に対して、変圧器９Ａの逆比で決まりインバータ電流より少ない電流が流れる。電流が減少した分、力行時の加速トルクが低下するけれども、Ｖ／Ｆ一定領域を拡がり、従来方式では加速トルクが減少する領域においても、加速度一定に維持できるので力行の加速性能は影響を受けない。
【０１１５】
尚、本発明は以上説明した実施例１，２に限定されるものではなく、当業者であれば、本発明の趣旨を逸脱しない範囲で、前記実施例１，２に種々の変更を付加して実施することができ、本発明はそれらの変更形態をも包含するものである。
【図面の簡単な説明】
【０１１６】
【図１】本発明の実施例１に係る電動車（鉄道車両）の電気配線図である。
【図２】加速時の電動機トルク、パワー、電圧、電流の特性線図である。
【図３】制動時の電動機トルク、パワー、電圧、電流の特性線図である。
【図４】主及び副インバータと誘導電動機の各電圧を示すタイムチャートである。
【図５】第４変更形態における図２相当図である。
【図６】第４変更形態における図３相当図である。
【図７】実施例２に係る電動車（鉄道車両）の電気配線図である。
【図７−１】電圧添加用変圧器としての電圧添加用単巻変圧器の回路図である。
【図８】制動時の電動機電圧、電流、制動力等の特性線図である。
【図９】従来の制動時の電動機トルク、パワー、電圧、電流の特性線図である。
【図１０】従来の加速時の電動機トルク、パワー、電圧、電流の特性線図である。
【図１１】従来の制動時の電動機電圧、電流、制動力等の特性線図である。
【符号の説明】
【０１１７】
１      架線
２      電動車（鉄道車両）
７      主インバータ（第１インバータ）
８      副インバータ（第２インバータ）
９，９Ａ  ３相変圧器
１０      誘導電動機
１１      インバータ制御装置
１８，１８Ａ      電力制御装置
Ｕａ，Ｖａ，Ｗａ  ２次巻線
Ｕｂ，Ｖｂ，Ｗｂ  １次巻線
【図１】
2008113543.tif 000003
【図２】
2008113543.tif 000004
【図３】
2008113543.tif 000005
【図４】
2008113543.tif 000006
【図５】
2008113543.tif 000007
【図６】
2008113543.tif 000008
【図７】
2008113543.tif 000009
【図７−１】
2008113543.tif 000010
【図８】
2008113543.tif 000011
【図９】
2008113543.tif 000012
【図１０】
2008113543.tif 000013
【図１１】
2008113543.tif 000014